【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
第１通信プロトコルに従って第１種フレームの伝送が行われる第１ネットワークと、第１通信プロトコルとは異なる第２通信プロトコルに従って第２種フレームの伝送が行われる第２ネットワークとを含む車載ネットワークシステムにおいて第１ネットワークに接続される電子制御ユニットであって、
第１通信プロトコルに従って第１種フレームを生成する生成部と、
前記生成部により生成された第１種フレームを第１ネットワークに送信する送信部とを備え、
前記生成部は、第２ネットワークに伝送されるべき第２種フレームの基礎となる第１情報と、第１種フレームが第２ネットワークに伝送されるべき情報を含むことを表す第２情報とを、当該第１種フレームに含ませて、当該第１種フレームの前記生成を行う
電子制御ユニット。
【請求項２】
前記電子制御ユニットは、前記電子制御ユニットの外部から外部情報を受信する受信部を備え、
前記生成部は、
第１の場合において前記外部情報に基づいて生成した前記第１情報を含み、前記第２情報を含む第１種フレームを生成し、
第２の場合において前記外部情報に基づいて生成した情報を含み、前記第２情報と相反する情報を含む第１種フレームを生成する
請求項１記載の電子制御ユニット。
【請求項３】
前記電子制御ユニットは、前記電子制御ユニットの外部から外部情報を受信する受信部と、
データのタイプ毎に伝送先の通信プロトコルを対応付けるテーブルと、を備え、
前記生成部は、
前記テーブルを用いて、前記外部情報のデータのタイプから伝送先の通信プロトコルを判定し、
判定した前記伝送先が第１の場合、前記外部情報に基づいて生成した前記第１情報を含み、前記第２情報を含む第１種フレームを生成し、
判定した前記伝送先が第２の場合、前記外部情報に基づいて生成した情報を含み、前記第２情報と相反する情報を含む第１種フレームを生成する、 
請求項１記載の電子制御ユニット。
【請求項４】
第２種フレームは、データフィールドを含むデータフレームであり、
前記第１情報は、前記データフィールドの内容を示し、
前記生成部は、第１種フレームにおけるペイロードに前記第１情報を含ませる
請求項１〜３の何れか１項に記載の電子制御ユニット。
【請求項５】
第１通信プロトコルは、Ｅｔｈｅｒｎｅｔ（登録商標）プロトコルであり、
第２通信プロトコルは、ＣＡＮ（Controller Area Network）プロトコルであり、
第１種フレームは、Ｅｔｈｅｒｎｅｔ（登録商標）ヘッダと、ペイロードであるデータとを含むＥｔｈｅｒｎｅｔ（登録商標）フレームである、
請求項４記載の電子制御ユニット。
【請求項６】
前記生成部は、
第１種フレームの前記生成において、当該第１種フレーム内に当該第１種フレームが第２ネットワークに伝送されるべき情報を含むか否かを識別するための識別フラグを配置し、
前記第１情報を含ませて第１種フレームを生成する場合において当該第１種フレーム内の前記識別フラグを、前記第２情報を示す値にする
請求項４または５に記載の電子制御ユニット。
【請求項７】
前記生成部は、第１種フレームの前記生成において、前記識別フラグを前記ペイロード内に配置する
請求項６記載の電子制御ユニット。
【請求項８】
前記生成部は、前記第１情報を含ませて第１種フレームを生成する場合において、当該第１種フレーム内の前記Ｅｔｈｅｒｎｅｔ（登録商標）ヘッダにおける宛先ＭＡＣアドレスとして、前記第２情報を示すように定められた特定値を含ませる
請求項５記載の電子制御ユニット。
【請求項９】
第２種フレームは、ＩＤフィールド、ＤＬＣ（Data Length Code）及び前記データフィールドを含み、
前記第１情報は、前記ＩＤフィールド、前記ＤＬＣ及び前記データフィールドの値を示す
請求項５に記載の電子制御ユニット。
【請求項１０】
前記第１情報は、第２ネットワークに伝送されるべき複数の第２種フレームそれぞれの前記ＩＤフィールド、前記ＤＬＣ及び前記データフィールドの値と、当該複数の第２種フレームの数量を示す値とを示す
請求項９記載の電子制御ユニット。
【請求項１１】
前記生成部は、前記第１情報を含ませて第１種フレームを生成する場合において、当該第１種フレーム内の前記Ｅｔｈｅｒｎｅｔ（登録商標）ヘッダにおける宛先ＭＡＣアドレスの、グローバルＭＡＣアドレスか否かを識別するビットの値を、グローバルＭＡＣアドレスでない値にすることで前記第２情報を示し、当該宛先ＭＡＣアドレスに、第２種フレームの一部の内容を示す第３情報を含ませる
請求項５記載の電子制御ユニット。
【請求項１２】
第１通信プロトコルに従って第１種フレームの伝送が行われる第１ネットワークと、第１通信プロトコルとは異なる第２通信プロトコルに従って第２種フレームの伝送が行われる第２ネットワークとを含む車載ネットワークシステムにおいて第１ネットワークに接続される電子制御ユニットが、送信するフレームを生成するフレーム生成方法であって、
第２ネットワークに伝送されるべき第２種フレームの基礎となる第１情報と、第１種フレームが第２ネットワークに伝送されるべき情報を含むことを表す第２情報とを、当該第１種フレームに含ませるように、第１通信プロトコルに従って当該第１種フレームを生成する
フレーム生成方法。
【請求項１３】
第１通信プロトコルに従って第１種フレームの伝送が行われる第１ネットワークと、第１通信プロトコルとは異なる第２通信プロトコルに従って第２種フレームの伝送が行われる第２ネットワークとを含む車載ネットワークシステムにおいて第１ネットワークに接続される、マイクロプロセッサを含む電子制御ユニットに所定情報処理を実行させるためのプログラムであって、
前記所定情報処理は、
第１通信プロトコルに従って第１種フレームを生成する生成ステップと、
前記生成ステップで生成された第１種フレームを第１ネットワークに送信する送信ステップとを含み、
前記生成ステップでは、第２ネットワークに伝送されるべき第２種フレームの基礎となる第１情報と、第１種フレームが第２ネットワークに伝送されるべき情報を含むことを表す第２情報とを、当該第１種フレームに含ませて、当該第１種フレームの前記生成を行う
プログラム。
【手続補正２】
【補正対象書類名】明細書
【補正対象項目名】０００７
【補正方法】変更
【補正の内容】
【０００７】
上記課題を解決するために本発明の一態様に係る電子制御ユニットは、第１通信プロトコルに従って第１種フレームの伝送が行われる第１ネットワークと、第１通信プロトコルとは異なる第２通信プロトコルに従って第２種フレームの伝送が行われる第２ネットワークとを含む車載ネットワークシステムにおいて第１ネットワークに接続される電子制御ユニットであって、第１通信プロトコルに従って第１種フレームを生成する生成部と、前記生成部により生成された第１種フレームを第１ネットワークに送信する送信部とを備え、前記生成部は、第２ネットワークに伝送されるべき第２種フレームの基礎となる第１情報と、第１種フレームが第２ネットワークに伝送されるべき情報を含むことを表す第２情報とを、当該第１種フレームに含ませて、当該第１種フレームの前記生成を行う電子制御ユニットである。
【手続補正３】
【補正対象書類名】明細書
【補正対象項目名】０００８
【補正方法】変更
【補正の内容】
【０００８】
また、上記課題を解決するために本発明の一態様に係るフレーム生成方法は、第１通信プロトコルに従って第１種フレームの伝送が行われる第１ネットワークと、第１通信プロトコルとは異なる第２通信プロトコルに従って第２種フレームの伝送が行われる第２ネットワークとを含む車載ネットワークシステムにおいて第１ネットワークに接続される電子制御ユニットが、送信するフレームを生成するフレーム生成方法であって、第２ネットワークに伝送されるべき第２種フレームの基礎となる第１情報と、第１種フレームが第２ネットワークに伝送されるべき情報を含むことを表す第２情報とを、当該第１種フレームに含ませるように、第１通信プロトコルに従って当該第１種フレームを生成するフレーム生成方法である。
【手続補正４】
【補正対象書類名】明細書
【補正対象項目名】０００９
【補正方法】変更
【補正の内容】
【０００９】
また、上記課題を解決するために本発明の一態様に係るプログラムは、第１通信プロトコルに従って第１種フレームの伝送が行われる第１ネットワークと、第１通信プロトコルとは異なる第２通信プロトコルに従って第２種フレームの伝送が行われる第２ネットワークとを含む車載ネットワークシステムにおいて第１ネットワークに接続される、マイクロプロセッサを含む電子制御ユニットに所定情報処理を実行させるためのプログラムであって、前記所定情報処理は、第１通信プロトコルに従って第１種フレームを生成する生成ステップと、前記生成ステップで生成された第１種フレームを第１ネットワークに送信する送信ステップとを含み、前記生成ステップでは、第２ネットワークに伝送されるべき第２種フレームの基礎となる第１情報と、第１種フレームが第２ネットワークに伝送されるべき情報を含むことを表す第２情報とを、当該第１種フレームに含ませて、当該第１種フレームの前記生成を行うプログラムである。